(57)【要約】【課題】表示部をドア上に配置する場合があるが、そのような構成ではドアを開けた状態で必要な情報を確認できないという課題があった。【解決手段】  試料を保持する回転体と、前記回転体を回転させる駆動装置と、前記回転体を収納するロータ室を形成し、前記回転体を出し入れする開口部を有する収納するボウルと、前記ボウルを収納するフレームと前記開口部を開閉するドアと、運転条件の入力及び運転状態を表示する表示部を備えた遠心機において、前記ドアの上面に、第一表示部を設け、前記フレームに第二表示部を設ける。【選択図】  図２
2017012986.tif 000002
【特許請求の範囲】
【請求項１】
試料を保持する回転体と、
前記回転体を回転させる駆動装置と、
前記回転体を収納するロータ室を形成し、前記回転体を出し入れする開口部を有する収納するボウルと、
前記ボウルを収納するフレームと
前記開口部を開閉するドアと、
運転条件の入力及び運転状態を表示する表示部を備えた遠心機において、
前記ドアの上面に、第一表示部を設け、
前記フレームに第二表示部を設けたことを特徴とする遠心機。
【請求項２】
前記第二表示部は、前記ドアが前記ロータ室を密閉している状態では、前記ドアによって、保護されていることを特徴とする請求項１記載の遠心機。
【請求項３】
前記第二表示部は、前記ドアが開いている時に情報を表示することを特徴とする請求項２記載の遠心機。
【請求項４】
前記遠心機に制御装置をさらに設けて、
前記制御装置に前記第二表示部に表示させる情報を複数設定し、
前記第二表示部に表示させる情報を選択することができる請求項１記載の遠心機。
【請求項５】
前記制御装置に前記第二表示部に表示させる情報を複数設定し、
前記第二表示部に表示される情報は一定時間ごとに変わることを特徴とする請求項４記載の遠心機。
【発明の詳細な説明】
【技術分野】
【０００１】
本発明は、遠心機の運転について必要な情報を使用者に与えるため機能を有する遠心機に関する技術である。
【背景技術】
【０００２】
遠心機は、分離する試料（例えば、培養液や血液など）をチューブやボトルに注入してロータに挿入し、ロータを高速に回転させることで試料に遠心力を働かせ、試料の分離、精製を行う。回転速度は用途によって異なり、用途に合わせて低速(毎分数千回転)から高速(毎分１５０，０００回転)までの製品群が市販されている。また、一度に分離可能な試料の容量も数十ｍｌといった少量から数Ｌという大容量まで取り扱えるように小型の遠心機から大型遠心機までがラインアップされている。実験室や研究室などで使用される遠心機は実験機器の中でも比較的大きな部類に入るためユーザーからは小型化が望まれている。特に遠心機の中でも大型タイプの遠心機は小型のものに比べて専有面積が大きくなるためにその傾向が顕著である。
【０００３】
遠心機の表示部はロータの種類や回転数、運転時間等の運転条件を表示し、使用者が遠心機を運転するために必要な情報を提供する。また、使用者が運転条件を設定するための操作部があり、操作部は表示部の近くにある場合が多い。表示部にタッチパネル式の液晶を用いることで操作部と表示部を一体化している場合などもある。これらの表示部や操作部は視認性や操作性ために遠心機本体の前方側にあることが望ましい。また、視認性を良くし、表示する情報量などを確保するためにある程度表示部を大きくすることが望まれる。特に大型の遠心機では操作部を遠心機後方側に配置した場合には操作性の大きく低下するため、表示部や操作部を遠心機前方側に配置するのが望ましい。一方で大型の遠心機ではロータのサイズも大きいため、表示部、操作部を本体前方に配置するとロータまでの距離が遠くなり、試料の載せ替え等に関する操作性が低下することとなる。このような大型の遠心機でそれぞれの操作性を確保するための構成として、表示部と操作部を遠心機のドア上に配置することが考えられる（例えば特許文献１）。
【先行技術文献】
【特許文献】
【０００４】
【特許文献１】特開２００５―３４７２４号公報
【発明の概要】
【発明が解決しようとする課題】
【０００５】
昨今の電子化やタッチパネル式の普及の流れにより、表示部は従来よりも大型化が進んでいる。ドアに表示部を持つ遠心機では、表示部が邪魔にならずに使用者がロータ室にアクセスできるが、ロータ室を開けた状態において、同時に表示部を確認することができなくなる。一方、遠心機では運転記録などの点から直前の運転の条件等を確認したい場合などがある。また試料の載せ替え等の際には設定されている条件を確認したい場合なども存在する。また、ロータ室内に関するエラー表示などで、ロータ室内の作業を行いつつエラー内容を確認したい場合もある。このような場合にはドア上に表示部を持つ遠心機ではドアを閉じて表示部を確認する必要があるなどの問題があった。
【課題を解決するための手段】
【０００６】
本願において開示される発明のうち代表的なものの特徴を説明すれば次の通りである。
本発明の一つの特徴によれば、試料を保持する回転体と、前記回転体を回転させる駆動装置と、前記回転体を収納するロータ室を形成し、前記回転体を出し入れする開口部を有する収納するボウルと、前記ボウルを収納するフレームと前記開口部を開閉するドアと、運転条件の入力及び運転状態を表示する表示部を備えた遠心機において、前記ドアの上面に、第一表示部を設け、前記フレームに第二表示部を設けるようにした。
本発明の他の特徴によれば、前記第二表示部は、前記ドアが前記ロータ室を密閉している状態では、前記ドアによって、保護するようにした。
本発明の他の特徴によれば、前記第二表示部は、前記ドアが開いている時に情報を表示するようにした。
本発明の他の特徴によれば前記第二表示部に表示させる情報を選択することができるようにした。
本発明の他の特徴によれば前記第二表示部に表示される情報は一定時間ごとに変わるようにした。
【発明の効果】
【０００７】
本発明によれば、表示部が必要な情報を分散表示することで、小型化され設置する位置の自由度が増し、操作性等の利便性を損なわずに本体を小型化することができる。また表示する情報を使用者が選択可能とすることでサイズの小さい表示部でも必要最低限の情報を確認でき、情報量等の利便性を損なわずに本体を小型化することができる。
【図面の簡単な説明】
【０００８】
【図１】本発明の実施例に係る遠心機の縦断面図。
【図２】本発明の実施例に係る遠心機の一実施形態を示す概略図
【図３】本発明となる遠心機中一実施形態を上から見た図(ドアを省略した部分断面図)
【図４】本発明となる遠心機の副表示部の表示状態の一例
【図５】本発明となる遠心機の副表示部の表示状態の一例
【発明を実施するための形態】
【０００９】
図１に一般的な遠心機５０の構成を示す。図１は遠心機５０を横から見た断面図を示す。遠心機５０は、箱形の板金などで製作されるアウターフレーム７の内部に金属製の薄板で形成されたボウル３が設けられ、ボウル３の開口部を開閉するドア１７によってロータ室２を画定し、ドアパッキン１６によってロータ室２が密閉される。ロータ１は分離する試料を保持して高速回転する回転体であって、駆動装置たるモータ１９の回転軸１９ａに取付けられる。モータ１９はダンパー１１を介してフレームの一部を構成するモータベース８に固定される。さらに、アウターフレーム７の下部には脚１５が設けられている。
【００１０】
本明細書においてフレームとは、アウターフレーム７、モータベース８、リアプレート９、フロントプレート１０を含んだ複合体を指すものとする。アウターフレーム７には上下を２分割するようにモータベース８が接続され、アウターフレーム７とモータベース８により上室と、下室が構成される。モータベース８の開口部８ａにはモータ１９が貫通するように配置され、モータ１９の上側であって上室にはボウル３が配置される。ボウル３は図示しないネジによってモータベース８に固定される。ボウル３はステンレスなど錆びにくい材料にて形成され、水平方向断面が略円形であって、上側に開口部を有する略カップ状の形状である。ボウル３の周りにはロータ室２を冷却してロータ１を操作パネル２０、２１から入力された設定温度に冷却（維持）するために銅パイプ（冷凍配管）４が螺旋状に巻かれ、銅パイプ４の周囲はさらに発泡剤などでできている断熱層５が設けられ、その外側に筒状プロテクタ６が配置される。筒状プロテクタ６は、市販されている例えば肉厚が数ｍｍ〜数十ｍｍの太い鋼管を所定の長さに切断したものである。断熱層５の外周面と筒状プロテクタ６の間は、隙間を持って隔てるように構成しても良いし、接するように配置しても良い。尚、断熱層５として発泡ウレタン等の発泡剤を充填して硬化させる場合は、外周側の型枠を形成する薄板の円筒管をさらに配置しても良い。ボウル３と筒状プロテクタ６は、モータ１９の回転軸１９ａの軸心と同心になるように配置される。
【００１１】
アウターフレーム７に収容される筒状プロテクタ６は、モータベース８に固定される複数のＬ型ストッパ（図示せず）によって、遠心機の輸送中のプロテクタ６の位置ずれ等を抑制するように作用する。アウターフレーム７と筒状プロテクタ６との間には、筒状プロテクタ６を取付けるためのクリアランス（若干の空間）を有している。またアウターフレーム７内には、モータ１９の運転などを制御する制御装置１８が配置される。制御装置１８には、マイクロプロセッサが含まれ、コンピュータプログラムを実行することによって遠心分離運転をソフトウェアにより制御する。
【００１２】
ドア１７は図示しない蝶番を揺動軸にして上下方向に回動可能となるように、アウターフレーム７に軸支される。ここでは、遠心機５０の左側に蝶番が設けられ、ドア１７はいわゆる右開きで開くことができるが、蝶番を設けるのは後側とした前開きでも良いし、右側とした左開きであっても良い。ロータ室２は、上側の開口部がドア１７によって密閉可能に構成され、ドア１７を開けた状態でロータ室２の内部に、ロータ１を装着又は取り外しができる。ロータ１は、遠心分離を行う試料やそれを保持するサンプル容器に合わせて適宜選択され、モータ１９の回転軸１９ａに装着される。ドア１７の前方側には、使用者がロータの回転速度や分離時間等の条件を入力すると共に、各種情報を表示する第一表示部の操作パネル２０が配置される。
【００１３】
銅パイプ４は冷却装置の一部を構成するものであって、冷媒が圧縮機１２から凝縮器１３内に送られ、凝縮器１３及び送風装置（ファン）１４によって冷却された冷媒が液化する。液化した冷媒はキャピラリ４ａを通って、銅パイプ４に供給され、ボウル３の外周部においてボウル３の熱を急激に奪うことによってロータ室２の内部を冷却する。このように冷媒を銅パイプ４に循環させるようにした冷却装置を稼働させることによって、遠心分離運転中にロータ室２の内部は、制御装置１８の制御によって設定された所望の温度に一定に保たれる。ロータ１の温度は、ロータ室２に設置された温度センサ（図示せず）の出力を用いて制御装置１８により監視される。尚、遠心機５０の中にはボウル３の周囲に冷凍配管が巻かれていないものもある。また、ロータ室２の内部を減圧するために真空ポンプを用いる機種もある。ボウル３の外周側に筒状のプロテクタ部材が配置され、その外側に箱状のアウターフレーム７が位置するといった構造とするのが一般的である。
【００１４】
図２に本発明となる実施例の概略図を示す。ドア１７の上面に液晶のタッチパネル等からなる第一表示部（メイン表示部）２０を設け、第一表示部２０は、使用者がロータの回転速度や分離時間等の条件を入力すると共に、各種情報を表示することができ、前記ドア１７の下面と対向するフレーム（筐体）の上面には、第一表示部２０で表示される情報のうちの一部が表示することができる第二表示部（サブ表示部）２１が設けられている。第一表示部２０はドア１７に設置されており、ドア閉時には手前側にあって各種情報を確認、操作等できるが、ドア開時には使用者から視認しづらくなる。第二表示部２１はドア閉時にはドア１７に遮られて視認できない位置にあるが、ドア開時には視認できるようになる。（第二表示部２１は、ドア１７によって保護されている状態になる。）また、ドア閉時には、第二表示部２１への表示をやめるようにしても良い。
【００１５】
図３は本発明となる実施例の遠心機５０を上から見た図を示す。ドア１７は省略されている。ロータ室２の一部を形成するボウル３の開口部にはドアパッキン１６がリング状に配置されている。さらにロータ室２の一部を形成するボウル３の周囲は断熱層５で覆われており、またその外側にプロテクタ６が配置される。これらの構成部品を避けてフレーム上面に表示部を配置する場合、通常の表示部で表示するために必要なサイズは図中Ａ程度となる。これに対し、情報量を減らした第二表示部２１は図のように配置することができ、本体を小型化したままドア開時に情報を表示することができる。
【００１６】
図４、図５に第二表示部２１に表示する情報の一例を示す。例えば複数種類のロータ１を交換して使用するような場合には図４のように使用ロータや使用回転数を表示することで現在の設定を確認できる。遠心分離工程の運転記録を残す必要がある場合には図５のように前回の運転条件等を表示させることでドアが開いた状態でも前回の条件が確認できる。またロータ１を交換しない使用者の場合はロータ種類の情報を表示させずに別の必要な情報を表示させることもできる。また、ロータ室内に関するエラーが発生した場合、ロータ室内の作業を行いつつエラー内容を第二表示部２１に表示することで、ドア１７を開けたままでも、エラー内容を第二表示部２１に表示させることで確認することができる。
【００１７】
更に、第二表示部２１に表示させる内容をユーザーが設定できるようにしても良いし、更に、第二表示部２１に表示する情報を一定時間ごとに変えるようにしても良く例えば、図４と図５に記載されている一度に表示させる内容を複数設定しておき、複数の表示内容を交互に表示させることで、小さな表示画面でも、より多くの情報を表示することができるようになる。
更に、複数の表示内容を第二表示部２１液晶のタッチパネルを用いて表示部に図示されていないボタン部を設け、このボタンを押すことで、第二表示部２１の表示内容を変えるようにすることで、より多くの情報を表示することができるようになる。
【符号の説明】
【００１８】
１  ロータ
２  ロータ室
３  ボウル
４  銅パイプ（冷凍配管）
５  断熱層
６  プロテクタ
７  アウターフレーム
８  モータベース
９  リアプレート
１０  フロントプレート
１１  ダンパー
１２  圧縮機
１３  凝縮器
１４  送風装置（ファン）
１５  脚
１６  ドアパッキン
１７  ドア
１８  制御装置
１９  モータ（駆動装置）
２０  第一表示部（メイン表示部）
２１  第二表示部（サブ表示部）
５０  遠心機
【図１】
2017012986.tif 000003
【図２】
2017012986.tif 000004
【図３】
2017012986.tif 000005
【図４】
2017012986.tif 000006
【図５】
2017012986.tif 000007